(57)【要約】【課題】  弾性的にカバーの形状と寸法を調整できる導風カバーを提供すること。【解決手段】  導風カバーの構造であって、熱気がフレームの外へ排出されるように導くために、電気製品のフレームの通気孔の側辺に結び付けられ、かつ薄いシート状のメインボード及び薄いシート状のサブボードを有し、前記メインボードは複数の折り曲げ可能ラインを備え、これら折り曲げ可能ラインによって一前板と両側板が区分けされ、前記メインボード及び前記サブボードが組み立てられる際に、前記両側板は前記前板の両サイドに折り曲げられ、かつ前記前板両側の下方へ延伸し、前記サブボードの前端を前記前板の上方に結び付け、かつ前記両側板の上方を覆って筺体を形成すること。【選択図】図１
2005158045.tif 000002
【特許請求の範囲】
【請求項１】
導風カバーの構造であって、熱気がフレームの外へ排出されるように導くために、電気製品のフレームの通気孔の側辺に結び付けられ、かつ薄いシート状のメインボード及び薄いシート状のサブボードを有し、前記メインボードは複数の折り曲げ可能ラインを備え、これら折り曲げ可能ラインによって一前板と両側板が区分けされ、前記メインボード及び前記サブボードが組み立てられる際に、前記両側板は前記前板の両サイドに折り曲げられ、かつ前記前板両側の下方へ延伸し、前記サブボードの前端を前記前板の上方に結び付け、かつ前記両側板の上方を覆って筺体を形成することを特徴とする導風カバーの構造。
【請求項２】
請求項１に記載の導風カバーの構造において、前記両側板が折り曲げられると、両者間の距離が前のほうが広く、後ろのほうが狭い形を呈するように、前記前板と前記両側板と連接する折り曲げラインはそれぞれ前記前板の内側へと傾斜し、前記サブボードは複数の折り曲げ可能ラインを有し、これら折り曲げ可能ラインによって一アッパー板と両止め板が区分けされ、前記両止め板はそれぞれ前記アッパー板の両側から下方に折り曲げられることを特徴とする導風カバーの構造。
【請求項３】
請求項１に記載の導風カバーの構造において、前記前板は更に、前記前板の前端が上または下へと折り曲げられることが出来るようにもう一本の折り曲げ可能ラインを有し、また、前記メインボードは両連結板を備え、前記両連結板がそれぞれ前記両側板の前端に折り曲げられることを特徴とする導風カバーの構造。
【請求項４】
請求項１に記載の導風カバーの構造において、更に両補強バーを有し、かつ前記両側板にそれぞれボードを貫通する２本の線状切り口があって、前記両側板の強度を上げるように、前記両補強バーの両端はそれぞれ前記両側板の両線状切り口を通り抜け、それぞれ両側板の中間部に結びつくことを特徴とする導風カバーの構造。
【請求項５】
請求項３に記載の導風カバーの構造において、前記前板にボードを貫通する線状切り口があって、前記アッパー板の前端中間部にほぞ部を有し、前記ほぞ部が前記線状切り口を通り抜けて前記前板に引っかかることを特徴とする導風カバーの構造。
【請求項６】
請求項４に記載の導風カバーの構造において、前記メインボード、前記サブボード及び前記両補強バーの材料は、金属シート、紙シート、プラスチックシートまたはポリエチレンから作られたシートであることを特徴とする導風カバーの構造。
【請求項７】
導風カバーの構造であって、熱気がフレームの外へ排出されるように導くために、電気製品のフレームの通気孔の側辺に結び付けられ、一メインボードを備え、前記メインボードは複数の折り曲げ可能ラインを有し、前記複数の折り曲げ可能ラインによって一アッパー板と両側板及び両連結板に区分けされ、前記メインボードが導風カバーに組み立てられる際に、前記両側板は前記アッパー板の両サイドに折り曲げられて筺体をなし、かつ前記両連結板はそれぞれ前記両側板の前端に折り曲げられることを特徴とする導風カバーの構造。
【請求項８】
請求項７に記載の導風カバーの構造において、前記アッパー板が折り曲げ可能な前端を有することを特徴とする導風カバーの構造。
【請求項９】
請求項７に記載の導風カバーの構造において、前記複数の折り曲げ可能ラインは、複数の小孔を備える少なくとも１本の湾曲する折り曲げ可能ラインを有し、前記メインボードがこれらの小孔に沿って曲線に折り曲げられることを特徴とする導風カバーの構造。
【請求項１０】
請求項９に記載の導風カバーの構造において、CPU放熱器の上端にある突出部を通り抜かせるように前記アッパー板が少なくとも１個の孔を有し、かつ前記突出部の前記孔を通り抜けた部分を一固定部材に結び付けることで、前記アッパー板を前記CPU放熱器の上端に結び付けることを特徴とする導風カバーの構造。
【請求項１１】
導風カバーの製造法であって、
少なくとも一薄いシートを切断金型で必要な形状のボードに切断し、かつ、前記少なくとも一ボードに複数の折り曲げ可能ラインを形成し、
前記少なくとも一ボードをこれら折り曲げ可能ラインに沿って折り曲げ、前記少なくとも一ボードを一つの筺体を成すように組合せ、
そのうち、前記筺体は熱気を前記フレームの外部に排出するように導くために一電気製品のフレームの通気孔の側辺に結び付けられることを特徴とする導風カバーの製造法。
【請求項１２】
請求項１１に記載の製造法において、前記ボードは一メインボードと一サブボードを備え、前記メインボードの折り曲げ可能ラインは一前板と両側板を区分けし、前記両側板を前記前板の両サイドに折り曲げ、かつ前記前板の両側の下方へと延伸し、しかも前記サブボードの前端を前記前板の上方に結び付け、かつ前記両側板の上方を覆わせることを特徴とする導風カバーの製造法。
【請求項１３】
請求項１１に記載の製造法において、前記前板の折り曲げ可能ラインが一アッパー板、両側板及び両連結板を区分けし、前記両側板は前記アッパー板の両サイドに折り曲げられ、前記両連結板はそれぞれ前記両側板の前端に折り曲げられることを特徴とする導風カバーの製造法。
【請求項１４】
請求項１２に記載の製造法において、前記サブボードは複数の折り曲げ可能ラインを有し、これら折り曲げ可能ラインが一アッパー板と両止め板を区分けし、前記両止め板はそれぞれ前記アッパー板の両側から下方へと折り曲げられることを特徴とする導風カバーの製造法。
【請求項１５】
請求項１３に記載の製造法において、前記メインボードの複数の折り曲げ可能ラインのうち、少なくとも１本の湾曲した折り曲げ可能ラインを有し、前記湾曲した折り曲げ可能ラインは曲線に曲げられるように、複数の小孔を有することを特徴とする導風カバーの製造法。
【発明の詳細な説明】
【技術分野】
【０００１】
本発明は計算機、サーバーメインユニットの放熱装置の導風カバーに関し、特に中央処理ユニット（ＣＰＵ）の放熱器の導風カバーに関する。
【背景技術】
【０００２】
ＣＰＵは計算機、サーバーの熱を作り出す主要部分である。通常導風カバーによって、ＣＰＵの放熱器から排出された熱をファンが取り付けられた計算機の筺体またはパワーサプライの筺体の通気孔に導き、計算機のフレームの外側へと排出することで、放熱効果を高める。出願人はすでに複数の導風カバーに関する特許を取得した（例えば特許文献１，２，３参照。）。また、放熱導風カバーを開示している台湾特許がある（例えば特許文献４参照。）。それのピックアップカバーのグルーブトラックは、固定した台座の軸柱に被せることにより、ピックアップカバーを回転柱を支点に前、後ろへと移動させ、またはピックアップカバーの口を一定の角度を以て、左、右へと回転させることができることを示している。
【０００３】
【特許文献１】台湾特許第３６９１８０号
【特許文献２】台湾特許第３８７５７８号
【特許文献３】台湾特許第５１１８７２号
【特許文献４】台湾特許第５１６６６５号
【発明の開示】
【発明が解決しようとする課題】
【０００４】
前述した従来の導風カバーはそれぞれ優れたところを持っているが、いずれの導風カバーも固定した構造と固定した寸法、規格を持っている。ＣＰＵの放熱器の寸法、またはＣＰＵ放熱器と導風カバーの出口との相対位置が少しでも変化する際に、寸法の異なる導風カバーを新たに作製しなければならない。そのため、導風カバーの製造コストが上がり、寸法の異なる導風カバーの在庫量が増加し、スペースも余計に取ってしまうという問題点があった。
【０００５】
そこで、本発明の主要目的は、弾性的にカバーの形状と寸法を調整できる導風カバーを提供することにある。
本発明のもう一つの目的は、製造しやすく、製造コストが節約出来る導風カバーを提供することにある。
本発明の更なる目的は、軽くて、組み立てられる前の体積が小さく、輸送と収納に便利な導風カバーを提供することにある。
【課題を解決するための手段】
【０００６】
前記目的を達成するため、本発明の導風カバーの構造は、
熱気がフレームの外へ排出されるように導くために、電気製品のフレームの通気孔の側辺に結び付けられ、かつ薄いシート状のメインボード及び薄いシート状のサブボードを有し、前記メインボードは複数の折り曲げ可能ラインを備え、これら折り曲げ可能ラインによって一前板と両側板が区分けされ、前記メインボード及び前記サブボードが組み立てられる際に、前記両側板は前記前板の両サイドに折り曲げられ、かつ前記前板両側の下方へ延伸し、前記サブボードの前端を前記前板の上方に結び付け、かつ前記両側板の上方を覆って筺体を形成することからなる。
【０００７】
又、請求項１に記載の導風カバーの構造において、前記両側板が折り曲げられると、両者間の距離が前のほうが広く、後ろのほうが狭い形を呈するように、前記前板と前記両側板と連接する折り曲げラインはそれぞれ前記前板の内側へと傾斜し、前記サブボードは複数の折り曲げ可能ラインを有し、これら折り曲げ可能ラインによって一アッパー板と両止め板が区分けされ、前記両止め板はそれぞれ前記アッパー板の両側から下方に折り曲げられることが好適である。
【０００８】
又、請求項１に記載の導風カバーの構造において、前記前板は更に、前記前板の前端が上または下へと折り曲げられることが出来るようにもう一本の折り曲げ可能ラインを有し、また、前記メインボードは両連結板を備え、前記両連結板がそれぞれ前記両側板の前端に折り曲げられることが好適である。
【０００９】
又、請求項１に記載の導風カバーの構造において、更に両補強バーを有し、かつ前記両側板にそれぞれボードを貫通する２本の線状切り口があって、前記両側板の強度を上げるように、前記両補強バーの両端はそれぞれ前記両側板の両線状切り口を通り抜け、それぞれ両側板の中間部に結びつくことが好適である。
【００１０】
又、請求項３に記載の導風カバーの構造において、前記前板にボードを貫通する線状切り口があって、前記アッパー板の前端中間部にほぞ部を有し、前記ほぞ部が前記線状切り口を通り抜けて前記前板に引っかかることが好適である。
【００１１】
又、請求項４に記載の導風カバーの構造において、前記メインボード、前記サブボード及び前記両補強バーの材料は、金属シート、紙シート、プラスチックシートまたはポリエチレンから作られたシートであることが好適である。
【００１２】
又、本発明の導風カバーの構造は、
熱気がフレームの外へ排出されるように導くために、電気製品のフレームの通気孔の側辺に結び付けられ、一メインボードを備え、前記メインボードは複数の折り曲げ可能ラインを有し、前記複数の折り曲げ可能ラインによって一アッパー板と両側板及び両連結板に区分けされ、前記メインボードが導風カバーに組み立てられる際に、前記両側板は前記アッパー板の両サイドに折り曲げられて筺体をなし、かつ前記両連結板はそれぞれ前記両側板の前端に折り曲げられることからなる。
【００１３】
又、請求項７に記載の導風カバーの構造において、前記アッパー板が折り曲げ可能な前端を有することが好適である。
【００１４】
又、請求項７に記載の導風カバーの構造において、前記複数の折り曲げ可能ラインは、複数の小孔を備える少なくとも１本の湾曲する折り曲げ可能ラインを有し、前記メインボードがこれらの小孔に沿って曲線に折り曲げられることが好適である。
【００１５】
又、請求項９に記載の導風カバーの構造において、CPU放熱器の上端にある突出部を通り抜かせるように前記アッパー板が少なくとも１個の孔を有し、かつ前記突出部の前記孔を通り抜けた部分を一固定部材に結び付けることで、前記アッパー板を前記CPU放熱器の上端に結び付けることが好適である。
【００１６】
さらに、本発明の導風カバーの製造法は、
少なくとも一薄いシートを切断金型で必要な形状のボードに切断し、かつ、前記少なくとも一ボードに複数の折り曲げ可能ラインを形成し、
前記少なくとも一ボードをこれら折り曲げ可能ラインに沿って折り曲げ、前記少なくとも一ボードを一つの筺体を成すように組合せ、
そのうち、前記筺体は熱気を前記フレームの外部に排出するように導くために一電気製品のフレームの通気孔の側辺に結び付けられることからなる製造法である。
【００１７】
又、請求項１１に記載の製造法において、前記ボードは一メインボードと一サブボードを備え、前記メインボードの折り曲げ可能ラインは一前板と両側板を区分けし、前記両側板を前記前板の両サイドに折り曲げ、かつ前記前板の両側の下方へと延伸し、しかも前記サブボードの前端を前記前板の上方に結び付け、かつ前記両側板の上方を覆わせることが好適である。
【００１８】
又、請求項１１に記載の製造法において、前記前板の折り曲げ可能ラインが一アッパー板、両側板及び両連結板を区分けし、前記両側板は前記アッパー板の両サイドに折り曲げられ、前記両連結板はそれぞれ前記両側板の前端に折り曲げられることが好適である。
【００１９】
又、請求項１２に記載の製造法において、前記サブボードは複数の折り曲げ可能ラインを有し、これら折り曲げ可能ラインが一アッパー板と両止め板を区分けし、前記両止め板はそれぞれ前記アッパー板の両側から下方へと折り曲げられることが好適である。
【００２０】
又、請求項１３に記載の製造法において、前記メインボードの複数の折り曲げ可能ラインのうち、少なくとも１本の湾曲した折り曲げ可能ラインを有し、前記湾曲した折り曲げ可能ラインは曲線に曲げられるように、複数の小孔を有することが好適である。
【発明の効果】
【００２１】
本発明は、導風カバーの部材を製造工場で金型によってカットした後、シート状を呈させると共に、折り曲げ可能ラインを複数持たせ、その後、メインユニット組み立て工場の倉庫に運んで保存し、メインユニットを組み立てる際に、生産ラインで導風カバーの部材を立体の形に折り曲げてから、組み立てを行うものである。したがって、導風カバーは各部材がシート状を呈し、かつ材質が比較的に軽く、立体筺体に組み立てられる前に複数のシート状の部材を重ねることが可能なので、スペースを取らず、輸送や収納にも便利である。
【発明を実施するための最良の形態】
【００２２】
本発明の実施の形態の例を図面にしたがって説明する。
【００２３】
図１，図２に示すように本発明の導風カバーは、メインボード１０一つとサブボード２０一つ及び両補強バー３１，３２等複数のボードから構成される。メインボード１０は薄いシートが切断金型によって切断されることで形成され、複数の折り曲げ可能ラインを有する。
【００２４】
メインボード１０を複数の折り曲げ可能ラインに沿って折り曲げると、それぞれ前板１１一つと、両側板１２，１３及び両連結板１４，１５に区分けし、折り出されることが出来る。即ち、両側板１２，１３は前板１１の両サイドに折り曲がり、かつ、前板１１の両側の下方へ延伸して、上方に前板１１，両側に側板１２，１３がある筺体が形成される。
【００２５】
前板１１が両側板１２，１３と連接する折線１１１，１１２がそれぞれ前板１１の内側へと傾く。従って、両側板１２，１３が折り曲がると、両側板間の空間は前のほうが広く、後ろのほうが狭い形を呈する。前板１１には更に折り曲げ可能ライン１１３があって、前板１１の前端１１４を折り曲げ可能ライン１１３を軸に、上へ又は下へと折り曲げることができる。
【００２６】
両連結板１４，１５はそれぞれ両側板１２，１３の前端向きに折り曲がる。前板１１、両側板１２，１３にそれぞれボードを貫通する線状切り口１１５，１２１，１２２，１３１，１３２を備える。両補強バー３１，３２の両端はそれぞれ両側板１２，１３の線状切り口１２１，１２２，１３１，１３２を通り抜け、それぞれ両側板１２，１３の中間部と結びつき、両側板１２，１３の強度を上げる。
【００２７】
サブボード２０も薄いシートが切断金型によって切断されることで形成され、複数の折り曲げ可能ラインを有する。複数の折り曲げ可能ラインに沿って、アッパー板２１一つ及び両止め板２２，２３がそれぞれと区分けし折り出されることが出来る。両止め板２２，２３はそれぞれアッパー板２１の両側から下へと折り曲り、両側板１２，１３の移動範囲を制限することが出来る。アッパー板２１の前端の中間部にほぞ部２１１、その後部には凹形スペース２１２を有する。
【００２８】
図１，図２，図３に示すように、本発明の導風カバーの部材は、工場で金型によって切断された後、薄いシート状を呈するもので、その後、メインユニット組み立て工場の倉庫に運ばれ保存される。
【００２９】
メインユニットを組み立てる際に、生産ラインにおいて、導風カバーの部材を立体の形に折り曲げてから組み立てを行う。つまり、メインボード１０、サブボード２０を立体の形に折り曲げ、両補強バー３１，３２をそれぞれ両側板１２，１３に結びつける。アッパー板２１のほぞ部２１１が前板１１の上方から線状切り口１１５を通り抜け、前板１１と引っ掛かることにより、アッパー板２１を前板１１に結びつけ、かつ、両側板１２，１３の上方を覆わせて筺体を形成させる。
【００３０】
本実施例においては、前板１１はフレーム４０の上端に結びつき、かつ、繰り返し使用可能な両面テープ４１によって固定される。両連結板１４，１５はそれぞれフレーム４０の対応する２個の長方形溝４２，４３内に引っ掛かり、メインボード１０とフレーム４０を、通気孔４０１の外側を覆わせるように結び付ける。
【００３１】
図３に示すように、本実施例の導風カバーが形成したフレーム４０は、ファンの結びつくパワーサプライ用フレームである。本実施例の導風カバーは計算機メインユニットのその他の部分のフレームと結びつけても使用可能である。
【００３２】
図４に示すように、本発明の前板１１，アッパー板２１及び両側板１２，１３からなる筺体はＣＰＵ放熱器５０の外側を覆うことが出来る。凹形スペース２１２はＣＰＵ放熱器５０の突出部５１が通り抜けられるように設けられている。アッパー板２１及び両側板１２，１３が弾力性を有するため、ＣＰＵ放熱器と弾性的に接触することが出来る。ＣＰＵ放熱器５０が出した熱気は筺体の導きで、フレーム４０の側面に設けられた通気孔４０１によってフレーム４０の外へ排出され、ＣＰＵ放熱器５０の外部での充満を防ぐ。
【００３３】
図５に示すように、本発明の導風カバーの両側板１２，１３は、前板１１との折り曲げ可能ラインに沿ってそれぞれ両側へと折り曲がることができ、それ自身の弾力性を持って、寸法の異なるＣＰＵ放熱器５０に合わせて、両者間の距離を調整することが出来る。またはＣＰＵ放熱器５０の位置に合わせ、図５に示すように、図のやや右側のほうに寄るように弾性的に左右の位置を調整することが出来る。従って、１セットの導風カバーは異なる規格、寸法、サイズ、位置のＣＰＵ放熱器５０に合わせて使用することが出来る。
【００３４】
図６に示すように、本発明の第二実施例のアッパー板７１はほぞ部及び凹み形スペースが設けられていない。アッパー板７１と前板６１の間は繰り返し使用可能な両面テープ７１１によって粘着される。両連結板はそれぞれ繰り返し使用可能な両面テープ６４によって、両長方形溝を有しないパワーサプライフレーム４４の側面に粘着される。
【００３５】
両側板６２，６３及びアッパー板７１はＣＰＵ放熱器８０の両側及び上方を覆う。ＣＰＵ放熱器８０の下端はメインユニットボード８１の上端と結びつく。メインユニットボード８１の下端は計算機メインユニットフレームの底板８２の上端と結びつく。パワーサプライフレーム４４は計算機メインユニットフレームの側板８３のサイドに結びつく。
【００３６】
図７，図８に示すように、本発明の第三実施例の導風カバーにおいて、そのメインボード９０は薄いシートを切断してなされたもので、複数の折り曲げ可能ライン９１，９２，９３，９４，９５を有する。複数の折り曲げ可能ラインに沿って、それぞれアッパー板９６，アッパー板９６の前端９６１，両側板９７，９８及び両連結板９７１，９８１に区別し、折り出すことが出来る。
【００３７】
図８に示すように、両側板９７，９８はアッパー板９６の両側に折り曲り、筺体をなす。両連結板９７１，９８１はそれぞれ両側板９７，９８の前端に折り曲がる。アッパー板の前端９６１と両連結板９７１，９８１がそれぞれパワーサプライフレームと結びつくことで、導風カバーをパワーサプライに結びつける。
【００３８】
図９に示すように、本発明の第四実施例の導風カバーにおいて、そのメインボード８４は薄いシートを切断してなされたもので、複数の折り曲げ可能ライン８４１，８４２，８４３，８４４を有する。折り曲げ可能ラインに沿って、それぞれアッパー板８５，アッパー板８５の前端８５１，両側板８６，８７及び両連結板８７１（もう一つの連結板は図に未表示）に区別され、折り出されることが出来る。
【００３９】
両側板８６，８７はアッパー板８５の両サイドに折り曲り、筺体をなす。両連結板８７１はそれぞれ両側板８６，８７の前端に折り曲がる。アッパー板８５の前端８５１及び両連結板８７１はそれぞれパワーサプライのフレームに結びつくことで、導風カバーをパワーサプライフレームに結びつけることができる。
【００４０】
本実施例において、メインボード８４は少なくとも１本の複数の小孔８４５を含む折り曲げ可能ライン８４１を有するため、前記小孔に沿って必要な曲線に折り出し、導風カバーの両サイドを両側の電子部品の形状に合わせて、必要な弧度を以て、変形させることを特徴とする。
【００４１】
また、アッパー板８５は、ＣＰＵ放熱器８８の上端にある突出部が通り抜けられるように少なくとも１個の孔８５２を有する。突出部貫通孔８５２が固定部材８９と結びつくことで、アッパー板８５をＣＰＵ放熱器８８の上端に結びつける。固定部材８９はナットか密着式ゴムカバーでよい。
【００４２】
図６に示すように、本発明のもうひとつの使用方法として、前板６１の前端を上の方向へ折り曲げ、繰り返し使用可能な両面テープを使って、両連結板と一緒に直接フレーム側板８３またはその他の部品フレームの側板に粘着させることによって、導風カバーを前記側板の側面に取り付ける使用方法がある。
【００４３】
本発明のメインボード、サブボード及び両補強バーは刀具金型で切断してなすことができる。材質は金属シート、紙シートまたはプラスチックノート、たとえば、ポエチレン材料で作られたシートのようなものでよい。防火性、耐熱性、耐磁性、静電気防止機能付きのシートがベストである。刀具金型を製作する金型が割合安く、作るのが速いので、コストを節約することが出来る。
【００４４】
図１０に示すように、本発明の導風カバーの製造方法は以下のプロセスを含む。少なくとも一枚の薄いシートを切断金型を用いて必要なボードに切断し、かつ、該少なくとも一枚のボードに複数の折曲げ可能ラインを形成し、
該少なくとも一枚のボードをこれら折り曲げ可能ラインに沿って折り曲げ、該少なくとも一枚のボードを組み合わせ、ひとつの筺体を形成し、
ＣＰＵ放熱器の上端の突出部を該ボードのアッパー板にある孔から通りぬかせ、かつ、前記突出部の前記孔を通りぬかせた部分を固定部材に結びつける。
【００４５】
本発明の導風カバーの部材は、製造工場で金型によってカットされてシート状を呈し、その後、メインユニット組み立て工場の倉庫に運んで保存される。メインユニットを組み立てる際に、生産ラインで導風カバーの部材を立体の形に折り曲げてから、組み立てを行う。導風カバーは各部材がシート状を呈し、かつ材質が比較的に軽いため、立体筺体に組み立てられる前に各シート状の部材を重ねることが可能なので、スペースを取らず、輸送や収納にも便利である。
【００４６】
上述のように、本発明の技術を利用した実施例を説明しただけで、本発明の技術を熟知するいかなる者が本発明を生かして行った修正、変更も全て本発明が請求する特許請求の範囲に属するものとされ、実施例に掲げたものだけには限定されない。
【図面の簡単な説明】
【００４７】
【図１】本発明の導風カバーの各シート状部材を示す図である。
【図２】本発明の導風カバーが組立前に立体的に折り曲げられた状態を示す図である。
【図３】本発明の導風カバーがパワーサプライフレームに結びつく状態を示す立体図である。
【図４】本発明の導風カバーの使用状態を示す図である。
【図５】本発明の導風カバーのもう一つの使用状態を示す図である。
【図６】本発明の導風カバーの第二実施例における使用状態を示す図である。
【図７】本発明の導風カバーの第三実施例におけるシート状を示す図である。
【図８】本発明の導風カバーの第三実施例において組立前に立体的に折り曲げられた状態を示す図である。
【図９】本発明の導風カバーの第四実施例における使用状態を示す図及び一部の折曲げ可能ラインの拡大図である。
【図１０】本発明の導風カバーの製造過程のフロートチャートである。
【符号の説明】
【００４８】
１０，８４，９０    メインボード
１１，６１    前板
１１１，１１２，１１３，８４１，８４２，８４３，８４４，９１，９２，９４，９５    折り曲げ可能ライン
１１４，８５１，９６１    前端
１１５，１２１，１２２，１３１，１３２    線状切り口
１２，１３，６２，６３，８３，８６，８７，９７，９８    側板
１４，１５，８７１，９７１，９８１    連結板
２０    サブボード
２１，８５，９６    アッパー板
２１１    ほぞ部
２１２    凹形スペース
２２，２３    止め板
３１，３２    補強バー
４０    フレーム
４０１    通気孔
４１，６４，７１１    両面テープ
４２，４３    長方形溝
４４    フレーム
５０，８０，８８    ＣＰＵ放熱器
５１    突出部
８１    メインユニットボード
８２    底板
８９    固定部材
８４５    小孔
８５２    孔
【図１】
2005158045.tif 000003
【図２】
2005158045.tif 000004
【図３】
2005158045.tif 000005
【図４】
2005158045.tif 000006
【図５】
2005158045.tif 000007
【図６】
2005158045.tif 000008
【図７】
2005158045.tif 000009
【図８】
2005158045.tif 000010
【図９】
2005158045.tif 000011
【図１０】
2005158045.tif 000012